(57)【要約】【課題】釣り人の意図通りの沈降速度が達成されうる疑似餌ヘッド２の提供。【解決手段】疑似餌ヘッド２は、主部４及び孔６を有している。孔６は、主部４を貫通している。この孔６は、ロッド側開口１０とフック側開口１２とを有している。ロッド側開口１０の幅は、フック側開口１２の幅よりも大きい。釣り糸２２が、孔６を通過している。ロッド側開口１０が大きいので、釣り糸２２からの張力をヘッド２が受けにくい。ヘッド２は、長さ方向が鉛直方向とほぼ一致する姿勢を保ちつつ、沈降する。このときの、ヘッド２が受ける水の抵抗は、小さい。このヘッド２を有する疑似餌１４は、高速で沈降する。【選択図】図５
0003212533.tif 000002
【実用新案登録請求の範囲】
【請求項１】
主部と、この主部を貫通しており釣り糸が通されるための孔とを備えており、
上記孔が、ロッド側開口とフック側開口とを有しており、
上記ロッド側開口のサイズが上記フック側開口のサイズよりも大きい疑似餌ヘッド。
【請求項２】
上記孔の内寸が、ロッド側開口に向かって徐々に大きくなっている請求項１に記載の疑似餌ヘッド。
【請求項３】
上記主部が細長形状を有しており、
上記主部の長手方向前端の近傍にロッド側開口が位置しており、
上記主部の長手方向後端の近傍にフック側開口が位置している請求項１又は２に記載の疑似餌ヘッド。
【請求項４】
上記主部が扁平形状を有しており、
上記主部の厚み方向と直交する方向において、一方側にロッド側開口が位置しており、他方側にフック側開口が位置している請求項１又は２に記載の疑似餌ヘッド。
【考案の詳細な説明】
【技術分野】
【０００１】
本考案は、釣りに用いられる疑似餌に関する。詳細には、本考案は、この疑似餌のヘッドに関する。
【背景技術】
【０００２】
カブラと称される疑似餌を用いて、鯛釣りが行われている。この疑似餌は、金属製のヘッド、ゴム製のネクタイ及びスカート並びにフックを備えている。この疑似餌は、釣り糸が結ばれた状態で、海底に沈められる。釣り糸が引かれて疑似餌が海水中を上昇すると、水圧を受けてネクタイ及びスカートが揺動する。この揺動により、鯛は疑似餌を生きた餌と勘違いし、この疑似餌に食いつく。フックが鯛に刺さって、鯛が釣り上げられる。この疑似餌は、「タイラバ」とも称されている。鯛釣りに適した疑似餌ヘッドが、実用新案登録第３１９９６０８号公報に記載されている。
【先行技術文献】
【特許文献】
【０００３】
【特許文献１】実用新案登録第３１９９６０８号公報
【考案の概要】
【考案が解決しようとする課題】
【０００４】
鯛がいるレンジは、タナと称される。釣り人が疑似餌を海に投入すると、この疑似餌は水中を沈降していく。疑似餌がタナに到着した後に釣り糸が引かれることで、鯛が疑似餌に食いつく。海に投入後、タナにまで到着する時間が短い疑似餌が、釣果の点で有利である。釣り人は、沈降速度の速い疑似餌を望んでいる。
【０００５】
胴長タイプのヘッドが用いられ、かつこのヘッドの長手方向が鉛直方向と一致して沈降すると、水の抵抗が小さい。従って、このヘッドの沈降速度は速い。しかし、釣り糸からの力によってこのヘッドが傾くと、水の抵抗は大きい。このときのヘッドの沈降速度は、釣り人の意に反して遅い。
【０００６】
扁平なヘッドも、提案されている。このヘッドの厚みは、小さい。このヘッドが、厚み方向が鉛直方向と一致して沈降すると、水の抵抗が大きい。このヘッドは、遅い速度で揺らめきながら沈降する。この沈降が、鯛にアピールする。扁平なヘッドが、釣果を高めることもある。しかし、釣り糸からの力によってこのヘッドが起立すると、水の抵抗は小さい。このときのヘッドの沈降速度は、釣り人の意に反して速い。
【０００７】
本考案の目的は、釣り人の意図通りの沈降速度が達成されうる疑似餌ヘッドの提供にある。
【課題を解決するための手段】
【０００８】
本考案に係る疑似餌ヘッドは、主部と、この主部を貫通しており釣り糸が通されるための孔とを有する。この孔は、ロッド側開口とフック側開口とを有する。ロッド側開口のサイズは、フック側開口のサイズよりも大きい。
【０００９】
好ましくは、孔の内寸は、ロッド側開口に向かって徐々に大きくなる。
【００１０】
好ましくは、主部は、細長形状を有する。この主部の長手方向前端の近傍に、ロッド側開口が位置する。この主部の長手方向後端の近傍に、フック側開口が位置する。
【００１１】
主部が、扁平形状を有してもよい。主部の厚み方向と直交する方向において、一方側にロッド側開口が位置し、他方側にフック側開口が位置する。
【考案の効果】
【００１２】
本考案に係る疑似餌ヘッドでは、このヘッドの沈降姿勢が釣り糸の影響を受けにくい。この疑似餌ヘッドでは、釣り人の意図通りの沈降速度が達成されうる。この疑似餌ヘッドは、釣果に寄与する。
【図面の簡単な説明】
【００１３】
【図１】図１は、本考案の一実施形態に係る疑似餌ヘッドが示された斜視図である。
【図２】図２は、図１の疑似餌ヘッドが示された平面図である。
【図３】図３は、図１の疑似餌ヘッドが示された左側面図である。
【図４】図４は、図２のIV−IV線に沿った断面図である。
【図５】図５は、図１のヘッドを有する疑似餌が釣り糸と共に示された部分断面図である。
【図６】図６は、図５の疑似餌が釣り糸と共に示された正面図である。
【図７】図７は、本考案の他の実施形態に係る疑似餌ヘッドが示された平面図である。
【図８】図８は、図７の疑似餌ヘッドが示された左側面図である。
【図９】図９は、図７のIX−IX線に沿った断面図である。
【図１０】図１０は、本考案のさらに他の実施形態に係る疑似餌ヘッドが示された正面図である。
【図１１】図１１は、図１０の疑似餌ヘッドが示された左側面図である。
【図１２】図１２は、図１０の疑似餌ヘッドが示された断面図である。
【図１３】図１３は、図１０のヘッドを有する疑似餌が釣り糸と共に示された正面図である。
【考案を実施するための形態】
【００１４】
以下、適宜図面が参照されつつ、好ましい実施形態に基づいて本考案が詳細に説明される。
【００１５】
図１から４に示された疑似餌ヘッド２は、主部４、孔６及び４つのフィン８を有する。図２において、左側が疑似餌ヘッド２の前端側であり、右側が疑似餌ヘッド２の後端側である。それぞれのフィン８は、主部４の後端の近傍に固定されている。
【００１６】
主部４は、細長形状を有する。具体的には、主部４は、図２における左右方向に長い。主部４は、高密度な材料から形成されている。主部４の材料の密度は、５ｇ／ｃｍ３以上が好ましく、７ｇ／ｃｍ３以上が特に好ましい。主部４の典型的な材質として、鉛、鉛合金、タングステン及びタングステン合金が例示される。
【００１７】
図４に示されるように、孔６は主部４を貫通している。この孔６は、ロッド側開口１０とフック側開口１２とを有している。ロッド側開口１０は、主部４の前端の近傍に位置している。フック側開口１２は、主部４の後端の近傍に位置している。
【００１８】
図４において矢印Ｗ１で示されているのは、ロッド側開口１０の幅（サイズ）である。ロッド側開口１０の輪郭が円でない場合、幅Ｗ１は主部の上下方向に沿って測定される。図４において矢印Ｗ２で示されているのは、フック側開口１２の幅（サイズ）である。フック側開口１２の輪郭が円でない場合、幅Ｗ２は主部の上下方向に沿って測定される。図４から明らかなように、ロッド側開口１０の幅Ｗ１は、フック側開口１２の幅Ｗ２よりも大きい。
【００１９】
図５は、図１−４のヘッド２を有する疑似餌１４が示された部分断面図である。図５では、水中を沈降している疑似餌１４が示されている。図５において矢印Ａ１で示されているのは、疑似餌１４の沈降方向である。この疑似餌１４は、ヘッド２以外に、フックユニット１６、ネクタイ１８及びスカート２０を有している。ネクタイ１８は、揺動体である。スカート２０も、揺動体である。疑似餌１４が、ネクタイ１８及びスカート２０以外の揺動体を有してもよい。
【００２０】
図５には、釣り糸２２も示されている。釣り糸２２は、孔６を通過している。孔６の内寸は、釣り糸２２の外径よりも十分に大きい。従ってヘッド２は、この釣り糸２２に対して容易に相対移動しうる。
【００２１】
フックユニット１６は、鉤素２４と２つのフック２６とからなる。鉤素２４の一端に一方のフック２６が締結されており、鉤素２４の他端に他方のフック２６が締結されている。鉤素２４の典型的な材質は、アラミド繊維（登録商標「ケブラー」）である。フック２６は、金属からなる。フックユニット１６は、図示されないリング等を介して釣り糸２２と連結されている。
【００２２】
ネクタイ１８は、帯状である。ネクタイ１８は、軟質材料からなる。水圧を受けたとき、ネクタイ１８は揺れ動いて、疑似餌１４の存在を鯛にアピールする。典型的には、ネクタイ１８は、ゴム組成物からなる。ネクタイ１８が、軟質合成樹脂から形成されてもよい。ネクタイ１８が設けられなくてもよい。
【００２３】
スカート２０は、多数の糸２８からなる。この糸２８は、長尺である。糸２８は、軟質材料からなる。水圧を受けたとき、糸２８は揺れ動いて、疑似餌１４の存在を鯛にアピールする。典型的には、糸２８は、ゴム組成物からなる。糸が、軟質合成樹脂から形成されてもよい。糸２８が設けられなくてもよい。
【００２４】
図５に示されるように、ヘッド２は、その長さ方向がほぼ鉛直方向と一致する姿勢で沈降している。もしロッド側開口１０のサイズが小さければ、ヘッド２の前端に釣り糸２２の張力がかかる。この張力により、ヘッド２は、図５における時計回りにやや回転した姿勢で沈降する。この場合の、ヘッド２が受ける水の抵抗は、大きい。図５に示されたヘッド２では、ロッド側開口１０が大きいので、釣り糸２２からの張力をヘッド２が受けにくい。ヘッド２は、図５に示された姿勢を保ちつつ、沈降する。このときの、ヘッド２が受ける水の抵抗は、小さい。疑似餌１４は、高速で沈降する。釣り人は、短時間で疑似餌１４をタナにまで到着させることができる。このヘッド２は、釣果に寄与しうる。
【００２５】
釣り糸２２の張力を受けにくいとの観点から、幅Ｗ２に対する幅Ｗ１の比（Ｗ１／Ｗ２）は１．５以上が好ましく、２．０以上がより好ましく、２．５以上が特に好ましい。比（Ｗ１／Ｗ２）は５．０以下が好ましい。
【００２６】
図６は、図５の疑似餌１４が釣り糸２２と共に示された正面図である。図６では、船に乗った釣り人のリールによって釣り糸２２が巻かれている状態が示されている。疑似餌１４は、斜め上方向に向かって上昇している。図６において矢印Ａ２で示されているのは、疑似餌１４の進行方向である。
【００２７】
図６では、ヘッド２の長さ方向は、その進行方向Ａ２とほぼ一致している。従って、進行方向Ａ２に垂直な面に投影されるヘッド２の面積は、小さい。このヘッド２が進行するときの水の抵抗は、小さい。従って釣り人は、リールを巻くのに過大な力を必要としない。
【００２８】
図７−９には、本考案の他の実施形態に係る疑似餌ヘッド３０が示されている。この疑似餌ヘッド３０は、主部３２、孔３４及び４つのフィン３６を有する。図７において、左側が疑似餌ヘッド３０の前端側であり、右側が疑似餌ヘッド３０の後端側である。それぞれのフィン３６は、主部３２の後端の近傍に固定されている。
【００２９】
主部３２は、図７における左右方向に長い。主部３２は、高密度な材料から形成されている。主部３２の材料の密度は、５ｇ／ｃｍ３以上が好ましく、７ｇ／ｃｍ３以上が特に好ましい。主部３２の典型的な材質として、鉛、鉛合金、タングステン及びタングステン合金が例示される。
【００３０】
図９に示されるように、孔３４は主部３２を貫通している。この孔３４は、ロッド側開口３８とフック側開口４０とを有している。ロッド側開口３８は、主部３２の前端の近傍に位置している。フック側開口４０は、主部３２の後端の近傍に位置している。
【００３１】
図９において矢印Ｗ１で示されているのは、ロッド側開口３８の幅（サイズ）である。ロッド側開口３８の輪郭が円でない場合、幅Ｗ１は主部３２の上下方向に沿って測定される。図９において矢印Ｗ２で示されているのは、フック側開口４０の幅（サイズ）である。フック側開口４０の輪郭が円でない場合、幅Ｗ２は主部３２の上下方向に沿って測定される。図９から明らかなように、ロッド側開口３８の幅Ｗ１は、フック側開口４０の幅Ｗ２よりも大きい。
【００３２】
このヘッド３０には、図１−６に示されたヘッド２と同様、フックユニット１６、ネクタイ１８及びスカート２０が装着されうる。このヘッド３０を有する疑似餌が沈降するとき、ロッド側開口３８が大きいので、ヘッド３０は釣り糸からの張力を受けにくい。ヘッド３０は、長さ方向が鉛直方向とほぼ一致する姿勢を保ちつつ、沈降する。このときの、ヘッド３０が受ける水の抵抗は、小さい。疑似餌は、高速で沈降する。釣り人は、短時間で疑似餌をタナにまで到着させることができる。このヘッド３０は、釣果に寄与しうる。
【００３３】
釣り糸の張力を受けにくいとの観点から、幅Ｗ２に対する幅Ｗ１の比（Ｗ１／Ｗ２）は１．５以上が好ましく、２．０以上がより好ましく、２．５以上が特に好ましい。比（Ｗ１／Ｗ２）は５．０以下が好ましい。
【００３４】
図１０−１２には、本考案の他の実施形態に係る疑似餌ヘッド４２が示されている。この疑似餌ヘッド４２は、主部４４及び孔４６を有する。図１０において、左側が疑似餌ヘッド４２の前端側であり、右側が疑似餌ヘッド４２の後端側である。
【００３５】
図１０に示されるように、正面視における主部４４の輪郭形状は、概ね円である。図１１に示されるように、主部４４の厚みＴは小さい。この主部４４は、扁平形状を有する。主部４４は、高密度な材料から形成されている。主部４４の材料の密度は、５ｇ／ｃｍ３以上が好ましく、７ｇ／ｃｍ３以上が特に好ましい。主部４４の典型的な材質として、鉛、鉛合金、タングステン及びタングステン合金が例示される。
【００３６】
図１２に示されるように、孔４６は主部４４を貫通している。孔４６の天井４８（上側内面）は、主部４４の重心よりも上方に位置している。この孔４６は、ロッド側開口５０とフック側開口５２とを有している。ロッド側開口５０は、主部４４の前端の近傍に位置している。フック側開口５２は、主部４４の後端の近傍に位置している。
【００３７】
図１２において矢印Ｗ１で示されているのは、ロッド側開口５０の幅（サイズ）である。ロッド側開口５０の輪郭が円でない場合、幅Ｗ１は主部４４の上下方向（厚みに対して垂直な方向）に沿って測定される。図１２において矢印Ｗ２で示されているのは、フック側開口５２の幅（サイズ）である。フック側開口５２の輪郭が円でない場合、幅Ｗ２は主部４４の上下方向（厚みに対して垂直方向）に沿って測定される。図１２から明らかなように、ロッド側開口５０の幅Ｗ１は、フック側開口５２の幅Ｗ２よりも大きい。孔４６の内寸は、ロッド側開口５０に向かって徐々に大きくなっている。
【００３８】
図１３は、図１０−１２のヘッド４２を有する疑似餌５４が示された正面図である。図１３では、水中を沈降している疑似餌５４が示されている。図１３において矢印Ａ３で示されているのは、疑似餌５４の沈降方向である。この疑似餌５４は、図５に示された疑似餌１４と同様に、フックユニット１６、ネクタイ１８及びスカート２０を有している。
【００３９】
図１３には、釣り糸２２も示されている。釣り糸２２は、孔４６を通過している。孔４６の内寸は、釣り糸２２の外径よりも十分に大きい。従ってヘッド４２は、この釣り糸２２に対して容易に相対移動しうる。図１３に示された状態での、孔４６の内部での釣り糸２２の位置が、図１２に実線で示されている。
【００４０】
図１３に示されるように、ヘッド４２は、厚み方向が鉛直方向と一致する姿勢（水平姿勢）で沈降している。このとき、ヘッド４２が受ける水の抵抗は、大きい。このヘッド４２は、遅い速度で揺らめきながら沈降する。この沈降が、鯛にアピールする。もしロッド側開口５０のサイズが小さければ、主部４４の上部に、釣り糸２２の張力がかかる。この張力により、ヘッド４２は、起立した姿勢で沈降する。この場合の、ヘッド４２が受ける水の抵抗は、小さい。図１３に示されたヘッド４２では、ロッド側開口５０が大きいので、釣り糸２２からの張力をヘッド４２が受けにくい。従って、ヘッド４２の水平姿勢が、維持されやすい。このヘッド４２は、釣果に寄与しうる。
【００４１】
釣り糸２２の張力を受けにくいとの観点から、幅Ｗ２に対する幅Ｗ１の比（Ｗ１／Ｗ２）は１．５以上が好ましく、２．０以上がより好ましく、２．５以上が特に好ましい。比（Ｗ１／Ｗ２）は５．０以下が好ましい。
【００４２】
適切な沈降速度が得られるとの観点から、ヘッド４２の高さＨ（図１０参照）に対するヘッド４２の厚みＴ（図１１参照）の比（Ｔ／Ｈ）は０．６以下が好ましく、０．５以下がより好ましく、０．４以下が特に好ましい。比（Ｔ／Ｈ）は０．１以上が好ましい。
【００４３】
釣り人が釣り糸２２を巻くと、ヘッド４２が起立した状態で、疑似餌５４が上昇する。このときの、孔４６における釣り糸２２の位置が、図１２において二点鎖線で示されている。この上昇のときにヘッド４２が受ける水の抵抗は、小さい。ヘッド４２は、安定した姿勢を保ちつつ、上昇する。
【産業上の利用可能性】
【００４４】
本考案に係る疑似餌は、鯛のみならず、太刀魚、ヒラメ、アイナメ、マゴチ等の種々の魚をターゲットにした釣りに適している。本考案に係るヘッドは、他の揺動体や生き餌の沈降にも用いられうる。
【符号の説明】
【００４５】
２、３０、４２・・・疑似餌ヘッド
４、３２、４４・・・主部
６、３４、４６・・・孔
１０、３８、５０・・・ロッド側開口
１２、４０、５２・・・フック側開口
１４、５４・・・疑似餌
１６・・・フックユニット
１８・・・ネクタイ
２０・・・スカート
２２・・・釣り糸
【図１】
0003212533.tif 000003
【図２】
0003212533.tif 000004
【図３】
0003212533.tif 000005
【図４】
0003212533.tif 000006
【図５】
0003212533.tif 000007
【図６】
0003212533.tif 000008
【図７】
0003212533.tif 000009
【図８】
0003212533.tif 000010
【図９】
0003212533.tif 000011
【図１０】
0003212533.tif 000012
【図１１】
0003212533.tif 000013
【図１２】
0003212533.tif 000014
【図１３】
0003212533.tif 000015